(57)【要約】【課題】  災害発生時に、災害が発生した地域に居住している人への安否確認を行う「ナビゲーション装置、ナビゲーション装置における安否確認方法および安否確認プログラム」を提供する。【解決手段】  ナビゲーション装置における災害発生時の安否確認方法は、電話帳データを格納した外部通信端末を接続するステップと、外部通信端末から電話帳データを取得し、取得した電話帳データを記憶するステップと、災害情報を含む緊急放送を受信したとき（Ｓ１０１）、緊急放送から災害地情報を抽出するステップ（Ｓ１０２）と、抽出された災害地情報に基づき電話帳データから対象者を検索するステップ（Ｓ１０３）と、検索された対象者に安否確認のための安否確認情報を外部通信端末を利用して送信するステップ（Ｓ１０９）とを有する。【選択図】  図６
2010191503.tif 000002
【特許請求の範囲】
【請求項１】
放送を受信する受信手段と、
電話帳データを格納した外部通信装置を接続可能な接続手段と、
外部通信端末が接続されたとき、外部通信端末から電話帳データを取得し、当該電話帳データを記憶する記憶手段と、
外部通信端末が接続されたとき、外部通信端末の通信を制御する通信制御手段と、
前記受信手段が緊急放送を受信したとき、緊急放送に含まれる災害地情報を抽出する抽出手段と、
前記災害地情報に基づき前記記憶手段に記憶された電話帳データから対象者を検索する検索手段とを有し、
前記通信制御手段は、前記検索手段により対象者が検出されたとき、検索された対象者に安否確認のための安否確認情報を外部通信端末を介して送信する、
ナビゲーション装置。
【請求項２】
ナビゲーション装置はさらに、検索された対象者のリストを表示する表示手段と、リストの中から対象者を選択する選択手段とを有し、前記通信制御手段は、前記選択手段により選択された対象者に安否確認情報を送信する、請求項１に記載のナビゲーション装置。
【請求項３】
安否確認情報に応答して対象者からの返答を前記通信制御手段により受信したとき、前記表示手段は、当該返答を行った対象者をリストから除外する、請求項２に記載のナビゲーション装置。
【請求項４】
前記記憶手段は、市外局番と地域とを関連付けした情報を含む道路地図データを含み、前記検索手段は、道路地図データを参照して災害地情報の地域を判別し、かつ前記電話帳データを参照して判別された地域の市外局番に該当する対象者を検索する、請求項１に記載のナビゲーション装置。
【請求項５】
前記記憶手段は、氏名と住所とを関連付けした情報を含む道路地図データを含み、前記検索手段は、道路地図データを参照して前記電話帳データに含まれる対象者と一致する氏名を検索し、かつ検索された氏名の住所が災害地情報に該当するか否かを判別する、請求項１に記載の車載用電子装置。
【請求項６】
ナビゲーション装置における災害発生時の安否確認方法であって、
電話帳データを格納した外部通信端末を接続するステップと、
外部通信端末から電話帳データを取得し、取得した電話帳データを記憶するステップと、
災害情報を含む緊急放送を受信したとき、緊急放送から災害地情報を抽出するステップと、
抽出された災害地情報に基づき電話帳データから対象者を検索するステップと、
検索された対象者に安否確認のための安否確認情報を外部通信端末を利用して送信するステップと、
を有する安否確認方法。
【請求項７】
安否確認方法はさらに、市外局番と地域とを関連付けした情報を含む道路地図データを参照して、抽出された災害地情報の地域を判別し、判別された市外局番を有する対象者を検索する、請求項６に記載の安否確認方法。
【請求項８】
安否確認方法はさらに、氏名と住所とを関連付けした情報を含む道路地図データを参照して、電話帳データに含まれる対象者と一致する氏名を検索し、検索された氏名の住所が災害地情報に該当するか否かを判別する、請求項６に記載の安否確認方法。
【請求項９】
安否確認方法はさらに、検索された対象者のリストを表示するステップと、表示されたリストから対象者を選択するステップとを有し、前記送信するステップは、選択された対象者に安否確認情報を送信する、請求項６に記載の安否確認方法。
【請求項１０】
ナビゲーション装置が実行する災害発生時の安否確認プログラムであって、
電話帳データを格納した外部通信端末が接続されたとき、外部通信端末から電話帳データを取得し、取得した電話帳データを記憶装置に記憶させ、
災害情報を含む緊急放送が受信されたとき、緊急放送から災害地情報を抽出し、
抽出された災害地情報に基づき電話帳データから対象者を検索し、
検索された対象者に安否確認のための安否確認情報を外部通信端末を利用して送信させる、
安否確認プログラム。
【請求項１１】
安否確認プログラムはさらに、検索された対象者のリストをディスプレイに表示させ、表示されたリストから対象者が選択されたとき、選択された対象者に安否確認情報を送信させる、請求項１０に記載の安否確認プログラム。
【発明の詳細な説明】
【技術分野】
【０００１】
本発明は、目的地までの経路を探索し、探索した経路を案内する機能を備えたナビゲーション装置に関し、ナビゲーション装置を利用して災害地の対象者に安否確認をするための技術に関する。
【背景技術】
【０００２】
近年のナビゲーション装置には、オーディオ機能やビデオ機能が搭載され、さらには、地上波ディジタル放送、衛星ラジオ放送などを受信したり、外部機器からの情報をブルーツース等の通信手段を介して取得する機能が搭載され、マルチメディア機器へと発展している。また、ナビゲーション装置に携帯電話機が接続された場合には、ナビゲーション装置から携帯電話機の通信を制御し、ハンズフリーの機器を用いて通話することも可能になっている。
【０００３】
走行中に災害情報を取得したとき、運転者にとって、災害位置を知ることは、走行中の安全を確保する上で大事である。災害情報は、ラジオ放送やテレビ放送などの緊急放送から取得したり、これ以外にも、インターネットに接続されたナビゲーション装置であれば、サーバーなどから災害情報を取得することができる。
【０００４】
特許文献１は、放送局から緊急放送を受信したとき、家族等に緊急の電子メールを送信するにあたって、自装置の位置情報を含む緊急メールを所定の送信先に自動的に送信する携帯端末装置を開示している。
【先行技術文献】
【特許文献】
【０００５】
【特許文献１】特開２００７−１８９４６１号公報
【発明の概要】
【発明が解決しようとする課題】
【０００６】
従来のナビゲーション装置では、災害情報を受信した際に、災害地が自車位置周辺であれば、その安否確認を容易に行うことができる。しかし、災害地が自車位置から遠く離れた地域であってそこに家族や親族が住んでいるような場合には、その安否確認を迅速に行いたくても、現状のナビゲーション装置は、そのような事態に対処できるような仕様になっていない。つまり、ナビゲーション装置には、必ずしも、安否確認を取りたい人物の連絡先の情報が格納されている訳ではないし、災害発生時に、それらの人物への連絡をサポートする機能も備わっていない。
【０００７】
本発明は、このような従来の課題を解決するものであり、災害発生時に、災害が発生した地域に居住している人への安否確認を行うことができるナビゲーション装置、ナビゲーション装置における安否確認方法および安否確認プログラムを提供することを目的とする。
【課題を解決するための手段】
【０００８】
本発明に係るナビゲーション装置は、放送を受信する受信手段と、電話帳データを格納した外部通信装置を接続可能な接続手段と、外部通信端末が接続されたとき、外部通信端末から電話帳データを取得し、当該電話帳データを記憶する記憶手段と、外部通信端末が接続されたとき、外部通信端末の通信を制御する通信制御手段と、前記受信手段が緊急放送を受信したとき、緊急放送に含まれる災害地情報を抽出する抽出手段と、前記災害地情報に基づき前記記憶手段に記憶された電話帳データから対象者を検索する検索手段とを有し、前記通信制御手段は、前記検索手段により対象者が検出されたとき、検索された対象者に安否確認のための安否確認情報を外部通信端末を介して送信する。
【０００９】
好ましくはナビゲーション装置はさらに、検索された対象者のリストを表示する表示手段と、リストの中から対象者を選択する選択手段とを有し、前記通信制御手段は、前記選択手段により選択された対象者に安否確認情報を送信する。好ましくは安否確認情報に応答して対象者から前記通信制御手段により返答を受信したとき、表示手段は、当該返答を行った対象者をリストから除外する。
【００１０】
好ましくは記憶手段はさらに、市外局番と地域とを関連付けした情報を含む道路地図データを含み、前記検索手段は、道路地図データを参照して災害地情報の地域を判別し、かつ前記電話帳データを参照して判別された地域の市外局番に該当する対象者を検索することができる。記憶手段はさらに、氏名と住所とを関連付けした情報を含む道路地図データを含み、前記検索手段は、道路地図データを参照して前記電話帳データに含まれる対象者と一致する氏名を検索し、かつ検索された氏名の住所が災害地情報に該当するか否かを判別することができる。
【００１１】
本発明に係るナビゲーション装置における災害発生時の安否確認方法は、電話帳データを格納した外部通信端末を接続するステップと、外部通信端末から電話帳データを取得し、取得した電話帳データを記憶するステップと、災害情報を含む緊急放送を受信したとき、緊急放送から災害地情報を抽出するステップと、抽出された災害地情報に基づき電話帳データから対象者を検索するステップと、検索された対象者に安否確認のための安否確認情報を外部通信端末を利用して送信するステップとを有する。安否確認方法はさらに、市外局番と地域とを関連付けした情報を含む道路地図データを参照して、抽出された災害地情報の地域を判別し、判別された市外局番を有する対象者を検索することができる。安否確認方法はさらに、氏名と住所とを関連付けした情報を含む道路地図データを参照して、電話帳データに含まれる対象者と一致する氏名を検索し、検索された氏名の住所が災害地情報に該当するか否かを判別することができる。好ましくは安否確認方法はさらに、検索された対象者のリストを表示するステップと、表示されたリストから対象者を選択するステップとを有し、選択された対象者に安否確認情報を送信する。
【００１２】
本発明に係るナビゲーション装置が実行する災害発生時の安否確認プログラムは、電話帳データを格納した外部通信端末が接続されたとき、外部通信端末から電話帳データを取得し、取得した電話帳データを記憶装置に記憶させ、災害情報を含む緊急放送が受信されたとき、緊急放送から災害地情報を抽出し、抽出された災害地情報に基づき電話帳データから対象者を検索し、検索された対象者に安否確認のための安否確認情報を外部通信端末を利用して送信させる。
【発明の効果】
【００１３】
本発明によれば、外部通信端末から電話帳データを取得し、緊急放送を受信したとき、その災害地情報に基づき電話帳データから対象者を検索し、対象者に安否確認情報を送信するようにしたので、緊急放送の受信後に、災害地に居住する対象者を自動的に検索することができ、対象者の安否確認を容易に行うことができる。さらに、ナビゲーション装置の道路地図データに市外局番と地域との関係を登録しておくことで、道路地図データを利用して、災害地の地域に対応する市外局番から対象者を検索することができ、データの効率化を図ることができる。
【図面の簡単な説明】
【００１４】
【図１】本発明の実施例に係るナビゲーション装置の構成を示すブロック図である。
【図２】市外局番と地域との対応関係を示したテーブルの一例である。
【図３】本実施例のナビゲーション装置の安否確認プログラムの機能ブロック図である。
【図４】外部通信端末から取得した電話帳データの例である。
【図５】安否確認のために検索された対象者のリストの例である。
【図６】本実施例のナビゲーション装置における災害時の安否確認動作を示すフローチャートである。
【図７】対象者に送信される安否確認メッセージの表示例である。
【図８】対象者へ通話するときの表示例である。
【図９】エリアコードと地域との対応関係を示すテーブルの例である。
【図１０】第２の実施例の災害時の安否確認動作を示すフローチャートである。
【発明を実施するための最良の形態】
【００１５】
以下、本発明の最良の実施の形態について図面を参照して詳細に説明する。
【実施例】
【００１６】
図１は、本実施例に係るナビゲーション装置の構成を示すブロック図である。ナビゲーション装置１は、ＧＰＳ受信機や自立航法センサ（ジャイロセンサや速度センサなど）により自車位置を検出する自車位置検出部１０と、ＦＭラジオ放送、衛星ラジオ放送、その他の通信手段を介して道路交通情報を受信する受信部２０と、タッチパネル、リモコン、マウスまたは音声入力などからユーザの入力を受け取る入力部３０と、ハードディスク装置やその他の記憶媒体によりデータを記憶する記憶部４０と、外部機器を無線または有線を介して接続する接続部５０と、ディスプレイに道路地図等を表示する表示部６０と、音声を出力する音声出力部７０と、プログラムを記憶するプログラムメモリ８０と、データを一時的に記憶するデータメモリ９０と、プログラムを実行することでナビゲーション動作を制御する制御部１００とを含んで構成される。
【００１７】
記憶部４０は、ナビゲーション機能が実行されたときに表示される道路地図データを記憶している。道路地図データは、リンク（道路）データ、交差点データおよび施設データなどを含んでいる。道路地図データはさらに、図２に示すように、市外局番とそれに対応する地域を関連付けした情報として、対応テーブルを含んでいる。例えば、「０３」の市外局番であれば、東京都２３区の地域が該当し、「０４３」であれば、千葉市が該当する。
【００１８】
さらに記憶部４０は、後述するように携帯電話機などの外部通信端末が接続部５０に接続されたとき、外部通信端末から取得された電話帳データを記憶する。電話帳データは、例えば、氏名、電話番号、住所、電子メールアドレスを含むことができる。この電話帳データは、ナビゲーション装置において災害情報等の緊急放送が受信されたとき、災害地の対象者への安否確認に利用される。さらに記憶部４０は、安否確認情報のためのメール送信内容を定めたテンプレートまたは定型フォーマット文を記憶している。
【００１９】
プログラムメモリ８０は、ナビゲーション機能を実行するためのプログラムを記憶し、当該プログラムは、例えば、目的地までの最適ルートを探索するプログラム、目的地までのルートを案内するプログラム、受信部２０で緊急放送を受信したとき対象者の安否確認を行う安否確認プログラム等を含んでいる。
【００２０】
データメモリ９０は、自車位置検出部１０が検出した自車位置データ、受信部２０が受信した緊急放送の内容、記憶部４０から読み出された自車位置周辺の道路地図データなどを一時的に記憶する。
【００２１】
図３は、本実施例における安否確認プログラムの機能ブロック図である。同図に示すように、安否確認プログラムは、携帯電話機等の外部通信端末から電話帳データを取得する電話帳データ取得部１１０、受信部２０で受信された緊急放送を解読する緊急放送解読部１２０、解読された緊急放送から災害地情報を抽出する災害地情報抽出部１３０、電話帳データから災害地に住所または居所等を有する対象者を検索する検索部１４０、検索された対象者のリストを作成しこれを表示部６０に表示させるリスト作成部１５０、入力部３０からのユーザ入力に応じてリスト中の対象者を選択する選択部１６０、記憶部４０から安否確認情報を読み出す安否確認情報読出し部１７０、選択された対象者に安否確認情報を送信する送信部１８０を含んでいる。
【００２２】
電話帳データ取得部１１０は、外部通信端末が接続されたとき、外部通信端末装置のメモリに格納された電話帳データと記憶部４０の電話帳データとを同期させる。同期は、外部通信端末装置が接続されたことに応答して、あるいはユーザからの指示に応答して行われる。図４は、外部通信端末の電話帳データの一例を示している。電話帳データには、例えば、氏名、住所、電話番号、電子メールを登録する項目がある。これらの情報のすべてが登録されるとは限らず、電話帳への登録例は、幾つかのパターンに分類される。図４に示すように、１番目の項目には、氏名Ａと市外局番をもつ電話番号が登録され、２番目の項目には、氏名Ｂ、住所、市外局番をもつ電話番号およびメールアドレスが登録され、３番目の項目には、氏名Ｃ、携帯電話番号およびメールアドレスが登録され、４番目の項目には、氏名Ｄ、住所、携帯電話番号が登録されている。なお、氏名は、必ずしもフルネームに限らず、ニックネームや愛称であってもよい。
【００２３】
記憶部４０は、外部通信端末と同じようなデータ構造の電話帳データを有することが望ましく、その場合には、外部通信端末から取得した電話帳データを自身の電話帳データに追記するように登録することができる。他方、両者のデータフォーマットが異なる場合には、ナビゲーション装置は、外部通信端末の電話帳データをそのまま取得し記憶部４０に記憶するようにしても良い。
【００２４】
受信部２０がラジオ放送またはテレビ放送を受信しているとき、災害が発生すると、通常、緊急放送の割込みが成される。緊急放送は、例えば、ＴＭＣ（Traffic Message channel）やＲＤＳ(Radio Data System)のようにコード化された情報であり、この情報が衛星ラジオ放送やＦＭ放送に多重化される。受信部２０によって受信された放送内容は、データメモリ９０に蓄積され、緊急放送解読部１２０は、緊急放送を解読する。解読された緊急放送には、災害内容、災害地情報等が含まれている。
【００２５】
災害地情報抽出部１３０は、解読された緊急放送の内容から災害地情報を抽出する。災害地情報の抽出は、例えば固有の識別コードの解読によって行われ、災害地情報には、例えば災害地の発生エリアを示す緯度、経度情報が含まれている。また、災害地情報がテキスト標記である場合には、記憶部４０に格納された道路地図データに含まれる地名と比較照合することのより災害地を抽出してもよい。
【００２６】
検索部１４０は、抽出された災害地情報に基づき電話帳データから安否確認情報の対象とすべき人物を検索する。例えば、災害の発生した市区町村に含まれる住所をもつ対象者が検索される。好ましい例では、抽出された災害地と図２に示す市外局対応テーブルの地域とを比較し、災害地のエリアまたは災害地を包含するエリアが判別され、判別されたエリアの市外局番と一致する市外局番をもつ対象者が、図４に示す電話帳データから検索される。例えば、災害地が東京であるとき、検索部１４０は、市外局番対応テーブルから「０３」を判別し、図４の電話帳データから氏名Ａ、氏名Ｂを検索する。災害地が複数の市外局番に該当する場合には、それぞれの市外局番の対象者が検索される。
【００２７】
また、他の好ましい例では、電話帳データを参照して、災害地に合致する住所が判別され、その住所に対応する対象者が検索される。例えば、災害地が東京であるとき、検索部１４０は、図４の電話帳データの住所の中から「東京都」を判別し、対応する氏名Ｂ、氏名Ｄを検索する。
【００２８】
さらに他の好ましい例では、道路地図データと電話帳データとを照合し、氏名の住所を検索する。道路地図データには、目的地検索を行うときに利用される電話帳データとして氏名と住所の関係が登録されていることがある。例えば、図４に示す電話帳データにおいて、氏名Ｃに関しては、住所の登録がなく、しかも、市外局番がない携帯電話番号の登録である。このような場合には、検索部１４０は、氏名Ｃに合致する氏名が道路地図データに登録されているか否かを検索し、登録されている場合には、その氏名の住所が災害地に該当するか否かを判別する。
【００２９】
リスト作成部１５０は、検索部１４０の検索結果に基づき、検索された対象者と安否確認をすべきか否かを選択するための選択項目を含むリストを作成する。リストには、これ以外にも、住所、電話番号を併せて形成するようにしてもよい。リスト作成部１５０で作成されたリストは、表示部６０に表示される。図５は、災害地が「東京」であるとき、図４の電話帳データから検索された対象者のリストの例を示している。対象者Ａ、Ｂは、その市外局番が一致することにより検索され、対象者Ｄは、その住所が一致することにより検索されている。
【００３０】
図５に示すリストは、表示部６０によって表示され、選択部１６０は、ユーザ入力に応答してリストの中から安否確認を実行する対象者を選択する。好ましくは、ユーザがリストの中の選択ボックスをチェックすることにより、対象者の選択が行われる。
【００３１】
安否確認情報読出し部１７０は、記憶部４０に記憶されている安否確認情報を読み出す。安否確認情報は、「安全であれば、返答を下さい」などのメッセージ内容を含むものである。安否確認情報送信部１８０は、ナビゲーション装置に接続された外部通信端末を利用して、読み出された安否確認メッセージを対象者のメールアドレスに送信する。なお、対象者のメールアドレスが存在しない場合には、メールアドレスの入力を促す表示を行い、ユーザ入力をまって送信してもよい。あるいは、メールアドレスが内場合には、対象者に電話を発信するようにしてもよい。
【００３２】
次に、本実施例のナビゲーション装置における災害発生時の安否確認動作を図６のフローチャートを参照して説明する。テレビ放送またはラジオ放送中に、災害が発生すると、緊急放送の割り込みがなされ、緊急放送が解読される（ステップＳ１０１）。災害地抽出部１３０は、解読された内容から災害地情報を抽出する（ステップＳ１０２）。併せて、災害情報の内容は、表示部６０や音声出力部７０により出力される。
【００３３】
次に、検索部１４０は、災害地情報に基づき電話帳データから、安否確認をすべき対象者を検索する（ステップＳ１０３）。電話帳データに市外局番があるときは、災害地に該当する市外局番が検索され、市外局番がないときいは、電話帳データの住所が検索され、電話帳データに住所が内場合には、道路地図データに一致する氏名とその住所が検索される。
【００３４】
検索部１４０による検索結果に基づき、リスト作成部１５０は、検索された対象者のリストを作成する（ステップＳ１０４）。作成されたリストが表示部６０に表示され（ステップＳ１０５）、選択部１６０は、ユーザ入力に応答してリストから対象者を選択し、選択された対象者の選択ボックスをチェックをする（ステップＳ１０６）。
【００３５】
次に、安否確認情報読出し部１７０は、安否確認情報を記憶部４０から読出す（ステップＳ１０７）。安否確認情報送信部１８０は、選択された対象者にメールアドレスが含まれているか否かをチェックし（ステップＳ１０８）、含まれている場合には、当該メールアドレスに安否確認メッセージを送信する（ステップＳ１０９）。安否確認のメッセージの送信は、選択された対象者に一斉に送信することが可能である。他方、メールアドレスが含まれていない場合には、安否確認情報送信部１８０は、対象者の１人ずつの通信開始画面を表示部６０に表示し、ユーザからの確認ボタン等に応じて対象者に発信する（ステップＳ１１０）。
【００３６】
上記実施例では、リストの選択ボックスを利用して対象者を選択したが、リストの中の対象者宛のメッセージを１つずつ表示し、そこで選択または非選択をするようにしてもよい。図７は、安否確認情報としてのメッセージの一例である。メッセージには、対象者の氏名および安否確認のメッセージを記載した部分２００と、安否確認の実行を選択する選択ボタン２１０と、メッセージの送信を実行する送信ボタン２２０とが表示される。送信ボタン２２０が入力されると、安否確認メッセージが送信され、次の対象者のメッセージが表示される。
【００３７】
安否確認情報送信部１８０は、対象者のメールアドレスが存在しないとき、対象者へ通話を行う。このとき、図８に示すような通話開始画面が表示される。通話画面には、安否確認のための通話を促すメッセージ２３０と、対象者とその電話番号２４０と、通話を実行するか否かボタン２５０が表示される。通話の実行が選択されると、外部通信端末を介して通話が開始される。
【００３８】
また、通話するボタン２５０が選択されたとき、安否情報確認送信部１８０は、安否確認情報読出し部１７０により読み出された安否確認情報として、「○○です。ご無事なら折り返し連絡をください」等の音声を対象者に自動出力するようにしてもよい。また、通話回線が混雑することが予想されるため、電話が繋がるまで自動リダイヤルを繰り返すようにしてもよい。
【００３９】
また、リスト作成部１５０は、対象者に安否確認情報を送信した後に、当該対象者からの返答を受信すると、リストから当該対象者のリストを除外または削除する。あるいは、対象者からの返答があったことを示すチェックボックスをリストに表示するようにしてもよい。これにより、対象者の安否を即座にチェックすることができる。
【００４０】
次に、本発明の第２の実施例について説明する。第１の実施例は、外部通信端末の電話帳データをナビゲーション装置に同期させ、緊急放送を受信すると、電話帳データから対象者を検索するのに対して、第２の実施例は、緊急放送を受信した後に、外部通信端末の電話帳データをアクセスし、対象者を検索する。
【００４１】
災害地情報は、例えば、災害地を特定するためのエリアコードを含んでいる。エリアコードは、該当する地域に割当てられた符号であり、災害地の地名や座標が分からなくとも、エリアコードから災害地を特定することができる。図９はエリアコードと地域の対応関係を示すテーブルの例であり、例えば、エリアコード「０１」は「東京都」、エリアコード「０２」は、「神奈川県」に対応付けられている。エリアコードとエリアの関係は、記憶部４０に予め登録しておく。
【００４２】
図１０は、第２の実施例のナビゲーション装置における安否確認動作のフローチャートである。受信部２０が緊急放送を受信すると（ステップＳ２０１）、災害地情報抽出部１３０は、緊急放送に含まれるエリアコードを抽出し（ステップＳ２０２）、図９に示すようなエリアコードテーブルを参照して災害地の地域を特定する（ステップＳ２０３）。
【００４３】
次に、検索部１４０は、外部通信端末をアクセスし（ステップS２０４）、そこに格納されている電話帳データを参照し、特定された地域に該当する市外局番をもつ対象者、および特定された地域に該当する住所を有する対象者を検索する（ステップS２０５）。住所および市外局番の双方を持たない対象者の場合には、ナビゲーション装置の道路地図データを参照して、対象者の氏名から住所を検索するようにしてもよい。次に、リスト作成部１５０は、検索された対象者のリストを作成し（ステップS２０６）、以後、第１の実施例のときと同様に、対象者への安否確認情報の送信が行われる（ステップＳ２０７）。
【００４４】
以上、本発明の好ましい実施の形態について詳述したが、本発明は、特定の実施形態に限定されるものではなく、特許請求の範囲に記載された本発明の要旨の範囲内において、種々の変形・変更が可能である。第1の実施例では、外部通信端末の電話帳データを予め同期するようにしたが、ナビゲーション装置が災害情報を受信したとき、ナビゲーション装置の電話帳データを外部通信端末の電話帳データに同期するようにしてもよい。
【符号の説明】
【００４５】
１：ナビゲーション装置            １０：自車位置検出部
２０：受信部                        ３０：入力部
４０：記憶部                        ５０：接続部
６０：音声出力部                    ７０：表示部
８０：プログラムメモリ              ９０：データメモリ
１００：制御部
【図１】
2010191503.tif 000003
【図２】
2010191503.tif 000004
【図３】
2010191503.tif 000005
【図４】
2010191503.tif 000006
【図５】
2010191503.tif 000007
【図６】
2010191503.tif 000008
【図７】
2010191503.tif 000009
【図８】
2010191503.tif 000010
【図９】
2010191503.tif 000011
【図１０】
2010191503.tif 000012